(57)【特許請求の範囲】
【請求項１】
天井面に配設された配線器具の係止部に、係止片を係止させることによって照明器具を配線器具に取付ける照明器具取付け装置であって、カバーに係止片と、係止片に弾性力を付与するスプリングとを装備してブロック化された係止機構ブロックを構成し、この係止機構ブロックを照明器具の取付け部に対してカバー部分へのねじ止めにより取付けて成り、前記カバーに内装した係止片をカバーから突出自在とするとともに、カバーに設けたスプリング受け部と係止片に設けたスプリング受け部との間にスプリングを介在させて係止片をカバーから外方に弾性的に突出させるとともに係止片のカバーからの一定以上の突出を防止するためのカバーに設けたストッパ部に係止片を弾接して成ることを特徴とする照明器具取付け装置。
【請求項２】
取付け部の下面部に設けた係止機構ブロック嵌め込み用凹部を係止機構ブロックに嵌め込み、取付け部の上面側から挿入したねじにより取付け部に係止機構ブロックを取付けて成ることを特徴とする請求項１記載の照明器具取付け装置。
【発明の詳細な説明】
【０００１】
【発明の属する技術分野】
本発明は、天井面に配設された配線器具に照明器具を取付ける照明器具取付け装置に関するものである。
【０００２】
【従来の技術】
従来から、天井面に配設された配線器具の係止部に、係止片を係止させることによって照明器具を配線器具に取付ける照明器具取付け装置が知られている。この従来例にあって係止部に係止するために照明器具の取付け部に設けられる係止機構は、取付け部の下面部にそれぞれカバー、係止片、スプリングという部品を順次組み立てて、照明器具の配線器具への取付け部の下面部からねじを挿入してカバーを取付け部に取付けて係止機構を構成するようにしている。このように、カバー、係止片、スプリングという部品を取付け部に順次組み込んでいく必要があるため、組み立てに手間がかかり、また、このように、一つ一つの部品を一つづつ組み込んでいくものであるから、カバー、係止片、スプリングの他の照明器具取付け装置への流用が困難となる。更に、照明器具の配線器具への取付け部の下面部からねじを挿入してカバーを取付け部に取付けているので、ねじの頭部が取付け部の下面側に露出して見苦しいという問題がある。そこで、ねじの頭部を取付け部の下面側に露出しないようにするには取付け部の上面側からねじを挿入する必要があるが、カバー、係止片、スプリングを一つ一つ取付け部の下面部側に組み込み、カバー、係止片、スプリングが脱落しないようにして取付け部の上面側からねじを挿入して螺合するのはきわめて面倒になるという問題がある。
【０００３】
【発明が解決しようとする課題】
本発明は上記の点に鑑みてなされたものであり、照明器具の取付け部への係止機構の取付けが簡略化でき、また、ブロック化することで、係止機構を種々の照明装置の係止機構として取付けて使用することができ、また、係止機構を簡単な構造でブロック化できる照明器具取付け装置を提供することを課題とするものである。
【０００４】
【課題を解決するための手段】
上記課題を解決するために本発明に係る照明器具取付け装置は、天井面に配設された配線器具１の係止部２に、係止片３を係止させることによって照明器具を配線器具１に取付ける照明器具取付け装置であって、カバー８に係止片３と、係止片３に弾性力を付与するスプリング５とを装備してブロック化された係止機構ブロック６を構成し、この係止機構ブロック６を照明器具の取付け部７に対してカバー８部分へのねじ９止めにより取付けて成り、前記カバー８に内装した係止片３をカバー８から突出自在とするとともに、カバー８に設けたスプリング受け部１０と係止片３に設けたスプリング受け部１１との間にスプリング５を介在させて係止片３をカバー８から外方に弾性的に突出させるとともに係止片３のカバー８からの一定以上の突出を防止するためのカバー８に設けたストッパ部１３に係止片３を弾接して成ることを特徴とするものである。このような構成とすることで、照明器具の取付け部７に係止機構ブロック６を一つのブロック化された部品として組み込んでねじ９で簡単に取付けることができる。また、係止機構がブロック化された一つの部品として構成してあるので、係止片３のスプリング５による操作力はそのままで様々な照明器具の取付け部７に係止機構ブロック６を取付けて使用することができるものである。また、カバー８に内装した係止片３をカバー８から突出自在とするとともに、カバー８に設けたスプリング受け部１０と係止片３に設けたスプリング受け部１１との間にスプリング５を介在させて係止片３をカバー８から外方に弾性的に突出させるとともに係止片３のカバー８からの一定以上の突出を防止するためのカバー８に設けたストッパ部１３に係止片３を弾接することで、スプリング５のばね力を利用してカバー８に組み込んだ係止片３をカバー８に弾性的に取付けてカバー８に係止片３、スプリング５が組み込まれて仮支持された状態の係止機構ブロック６を構成することができることになる。
【０００６】
また、取付け部７の下面部に設けた係止機構ブロック嵌め込み用凹部１５を係止機構ブロック６に嵌め込み、取付け部７の上面側から挿入したねじ９により取付け部７に係止機構ブロック６を取付けることが好ましい。このような構成とすることで、組み立て用セット治具に係止機構ブロック６をセットした状態で、取付け部７の下面部に設けた係止機構ブロック嵌め込み用凹部１５を係止機構ブロック６に上方から嵌め込み、取付け部７の上面側からねじ９を挿入して取付け部７に係止機構ブロック６を取付けるものであり、これにより、係止機構ブロック６への取付け部７の嵌め込み、ねじ９による取付けが一方向（上から下に向けて）の取付けにより取付けができることになる。
【０００７】
【発明の実施の形態】
以下、本発明を添付図面に示す実施形態に基づいて説明する。
【０００８】
照明器具の取付け部７は照明器具の本体部（図示せず）に取付けられるものであり、中央部に円筒状孔部１４が設けてあり、取付け部７の下面部に円筒状孔部１４をはさんで両側に係止機構ブロック嵌め込み用凹部１５が設けてある。円筒状孔部１４をはさんで両側に配置した係止機構ブロック嵌め込み用凹部１５は対向方向及び下方に向けて開口しており、対向方向においては円筒状孔部１４の内壁部分においても開口している。係止機構ブロック嵌め込み用凹部１５の円筒状孔部１４の内壁部分における開口は下方から上方に向けて凹んだ凹部１６となっており、この凹部１６の両側の上下方向の略中央部に段部１７が設けてあり、凹部１６の段部１７より上の部分が係止片３が嵌め込まれる係止片嵌め込み凹部１６ａとなっている。また、係止機構ブロック嵌め込み用凹部１５の上面部にはねじ挿入孔３０が設けてある。
【０００９】
係止機構ブロック６はカバー８と係止片３とスプリング５とを組み合わせて一つの部品としてブロック化されたものである。カバー８は本体部８ａに下方及び内側方に開口したレバー収納用凹み部１８を設けてあり、本体部８ａの外側端部から上方に向けてスプリング受け部１０が突設してあり、また、レバー収納用凹み部１８の上面部にレバー移動用開口部２０が設けてあり、本体部８ａの上面部の上記スプリング受け部１０を突設した側と反対側の端部に上向き突部２１が突設してある。上向き突部２１のスプリング受け部１０と対向する部分がストッパ部１３となっており、また、上向き突部２１の内面部（ストッパ部１３と反対側の部位）は円筒状孔部１４と同じ曲率半径の弧状面となっている。また、本体部８ａの両側部には上方に開口するねじ螺合用孔２４が設けてある。
【００１０】
係止片３の一端縁部は円筒状孔部１４と同じ曲率半径の弧状係止縁部３ａとなっている。また、この係止片３の弧状係止縁部３ａを設けた方の端部の上面は先端側ほど下となるような傾斜面２６となっている。また、係止片３の弧状係止縁部３ａを設けた側と反対側の端部から下方に向けてスプリング受け部１１となる突片２３が垂設してあり、このスプリング受け部１１となる突片２３の下端部にレバー２２が設けてある。
【００１１】
上記のようにレバー２２を備えた係止片３はレバー２２をレバー移動用開口部２０にスライド自在に嵌め込むとともに上向き突部２１の上面に係止片３をスライド自在に載置し、この状態で、スプリング５をカバー８に設けたスプリング受け部１０と係止片３に設けたスプリング受け部１１との間に介在させて係止片３をカバー８から弾性的に突出させるばね力を付与して係止片３に設けた突片２３をストッパ部１３に弾接させることで、スプリング５によりカバー８にレバー２２を備えた係止片３を仮支持して（つまり、カバー８から係止片３、スプリング５が外れないように仮支持して）一つの部品としてブロック化された係止機構ブロック６を構成する。この場合、係止片３はスプリング５の一端部がカバー８のスプリング受け部１１に支持されるとともにスプリング５の他端部が係止片３のスプリング受け部１１に支持されて、スプリング５により係止片３がストッパ部１３に弾接してあることで、係止片３がスプリング５によりカバー８にねじ具などを用いることなく仮支持されて、カバー８に組み込んだ係止片３、スプリング５がカバー８から脱落しないようにしてある。
【００１２】
このように係止片３、スプリング５がカバー８に仮支持した状態で一部品としてブロック化された係止機構ブロック６は、前述の照明器具の取付け部７に設けた係止機構ブロック嵌め込み用凹部１５に嵌め込まれてねじ９止めにより固着してある。すなわち、一対の係止機構ブロック６を組み立て用セット治具（図示せず）の上面側にセットし、係止機構ブロック嵌め込み用凹部１５が下方に開口するようにした状態で、上方から照明器具の取付け部７の係止機構ブロック嵌め込み用凹部１５を組み立て用セット治具にセットした一対の係止機構ブロック６に嵌め込み、更に、取付け部７に設けたねじ挿入孔３０に上方からねじ９を挿入してカバー８の本体部８ａに設けたねじ螺合用孔２４にねじ９を螺着することで、係止機構ブロック６を照明器具の取付け部７に取付けるようになっている。このようにして係止機構ブロック６への取付け部７の嵌め込み、ねじによる取付けが一方向（上から下に向けて）の取付けにより取付けができる。
【００１３】
係止機構ブロック６を照明器具の取付け部７に取付けた状態で、カバー８に設けた上向き突部２１の両端部が凹部１６の両側の段部１７にはめ込まれて取付けられることになり、したがって、上向き突部２１の上面側にスライド自在に配置された係止片３が上向き突部２１と凹部１６の上底との間に形成される出入り用開口部２５内にスライド自在に位置することになる。ここで、上向き突部２１の弧状面となった内面部が円筒状孔部１４の内面の一部を構成することになる。
【００１４】
係止片３がスプリング５のばね力により弾性的に押圧されることで先端部の弧状係止縁部３ａが出入り用開口部２５から弾性的に突出させられており、最大突出位置において係止片３に設けた突片２３がストッパ部１３に弾接してそれ以上係止片３が出入り用開口部２５から外に飛び出さないようになっている。そして、係止片３に設けたレバー２２をスプリング５のばね力に抗してスライド操作することで、係止片３をスプリング５に抗して移動させ、係止片３の先端部の弧状係止縁部３ａを出入り用開口部２５内に没入させることができるようになっている。
【００１５】
天井面には配線器具１が設置されるものであり、この配線器具１は円筒状をしており、下端部外周部に環状をした凸部よりなる係止部２が設けてある。配線器具１の下面部には照明器具の端子金具を係止するための受け部２７が設けてある。添付図面に示す実施形態では図７に示すように、受け部２７は巾広の差し込み孔２７ａとこれに連通する巾狭の係止孔２７ｂとで構成した係止孔を一対設けて構成してある。また、配線器具１内の係止孔２７ｂ付近において接続端子部（図示せず）が設けてある。
【００１６】
しかして、天井に取付けた配線器具１に照明器具の取付け部７を取付けるに当たっては、取付け部７の上面部を上にした図７に示す状態で（つまり係止片３に設けたレバー２２が下面側において露出した状態で）、図７の矢印で示すように、取付け部７を上方に押し上げて取付け部７の円筒状孔部１４を配線器具１に被嵌して取付けるものである。この場合、円筒状孔部１４内に弾性的に突出している係止片３の先端部の弧状係止縁部３ａの傾斜面２６が配線器具１の下端部外周部に設けた凸部よりなる係止部２に当たり、傾斜面２６が押し付けられることで、係止片３がスプリング５のばね力に抗して押されて弧状係止縁部３ａが出入り用開口部２５内に没入し、弧状係止縁部３ａが凸部よりなる係止部２の上まで押し上げられた段階で傾斜面２６への係止部２の押圧が解除され、スプリング５のばね力により係止片３が押圧移動されて弧状係止縁部３ａが凸部よりなる係止部２の上面側に突出して係止部２に係止し、これにより天井に取付けた配線器具１に照明器具の取付け部７が取付けられることになる。この場合、取付け部７の円筒状孔部１４内に配線器具１が嵌め込まれ、配線器具１の下面部に設けた受け部２７が円筒状孔部１４に囲まれた部分の下面に露出している。
【００１７】
照明器具の取付け部７には照明器具（図示せず）が取付けられるものであり、照明器具側にはＬ字状をした一対の端子金具（図示せず）を有するプラグ部（図示せず）が設けてあり、このプラグ部の一対の端子金具を配線器具１の受け部２７に接続するものである。接続に当たっては、一対の端子金具を差し込み孔２７ａから挿入し、プラグ部を回転させて端子金具を係止孔２７ｂにスライドさせて係止するとともに、係止孔２７部分に設けた接続端子部（図示せず）に端子金具を電気的に接続することで、機械的及び電気的に照明器具の端子金具を配線器具１の受け部２７に接続することができるようにしてある。端子金具の取り外しに当たっては上記と逆の順序で取り外すものである。
【００１８】
一方、天井に取付けた配線器具１から照明器具の取付け部７を取り外すに当たっては、取付け部７の下面側において露出する係止片３に設けたレバー２２を外方向にスライドさせてスプリング５のばね力に抗して係止片３を移動させて弧状係止縁部３ａを出入り用開口部２５内に没入させ、この状態で取付け部７を下方に引くことで、円筒状孔部１４が下端部に係止部２を設けた配線器具１から外されて下方に取り外すことができるものである。
【００１９】
【発明の効果】
上記のように本発明の請求項１記載の発明にあっては、天井面に配設された配線器具の係止部に、係止片を係止させることによって照明器具を配線器具に取付ける照明器具取付け装置であって、カバーに係止片と、係止片に弾性力を付与するスプリングとを装備してブロック化された係止機構ブロックを構成し、この係止機構ブロックを照明器具の取付け部に対してカバー部分へのねじ止めにより取付けてあるので、照明器具の取付け部に係止機構ブロックを一つのブロック化された部品としてねじで簡単に取付けることができて、取付け部への係止機構の取付けが簡略化されるものであり、また、係止機構がブロック化された一つの部品として構成してあるので、係止片のスプリングによる操作力はそのままで様々な照明器具の取付け部に係止機構ブロックを取付けて使用することができるものである。
【００２０】
また、カバーに内装した係止片をカバーから突出自在とするとともに、カバーに設けたスプリング受け部と係止片に設けたスプリング受け部との間にスプリングを介在させて係止片をカバーから外方に弾性的に突出させるとともに係止片のカバーからの一定以上の突出を防止するためのカバーに設けたストッパ部に係止片を弾接してあるので、スプリングのばね力を利用してカバーに組み込んだ係止片をカバーに弾性的に取付けてカバーに係止片、スプリングが組み込まれて仮支持された状態の係止機構ブロックを構成することができ、カバーに係止片、スプリングが組み込まれて仮支持された状態の係止機構ブロックを簡単な構成で形成できるものである。
【００２１】
また、請求項２記載の発明にあっては、上記請求項１の発明の効果に加えて、照明器具の配線器具への取付け部の下面部にブロック化された係止機構ブロックを組み込み、取付け部の上面側から挿入したねじにより取付け部に係止機構ブロックを取付けてあるので、組み立て用セット治具に係止機構ブロックをセットした状態で、取付け部の下面部に設けた係止機構ブロック嵌め込み用凹部を係止機構ブロックに上方から嵌め込み、取付け部の上面側からねじを挿入して取付け部に係止機構ブロックを取付けるものであり、これにより、係止機構ブロックへの取付け部の嵌め込み、ねじによる取付けが一方向（上から下に向けて）の取付けにより取付けができるものであり、組立が簡略化するものである。
【図面の簡単な説明】
【図１】本発明の分解斜視図である。
【図２】同上の取付け部への係止機構ブロックの組み込みを示す分解斜視図である。
【図３】同上の取付け部への係止機構ブロックの組み込んだ状態を示す斜視図である。
【図４】同上に用いる一対の係止機構ブロックの分解斜視図である。
【図５】同上の取付け部に係止機構ブロックを取付けた状態の断面図である。
【図６】同上の取付け部に係止機構ブロックを取付けた状態の下面図である。
【図７】同上の天井に配設した配線器具に取付け部を取付ける状態を示す分解斜視図である。
【符号の説明】
１  配線器具
２  係止部
３  係止片
５  スプリング
６  係止機構ブロック
７  取付け部
８  カバー
９  ねじ
１０  スプリング受け部
１１  スプリング受け部
１３  ストッパ部
【図１】
0003699616.tif 000002
【図２】
0003699616.tif 000003
【図３】
0003699616.tif 000004
【図４】
0003699616.tif 000005
【図５】
0003699616.tif 000006
【図６】
0003699616.tif 000007
【図７】
0003699616.tif 000008